(57)【要約】      （修正有）【課題】電動工具用吊り下げ具の締め付け部付きリング状ホースバンドであって、ネジの頭部のプラスマイナス部を、手動ドライバー等で回転させても、所定の回数の回転後は、トルクが効いてそれ以上ネジがリング状ホースバンドの嵌合凹部内に喰込んで締め付けないものを提供する。【解決手段】電動工具のモーター部を締め付ける吊り下げ具に付設する締め付け部ｂ付きリング状ホースバンドａである。リング状ホースバンドａの左側縁部１と右側縁部２との内側部３に、締め付け部ｂを構成するネジ４の山部が食込み引掛り係止する細長形状の嵌合凹部６と凸部７を交互に連接した。【選択図】図３
0003205407.tif 000002
【実用新案登録請求の範囲】
【請求項１】
電動工具のモーター部を締め付ける吊り下げ具に付設する締め付け部付きリング状ホースバンドにおいて、
前記リング状ホースバンドの左側縁部と右側縁部との内側部に、前記締め付け部を構成するネジの山部が食込み引掛り係止する細長形状の嵌合凹部と凸部を交互に連接せしめることを特徴とする、電動工具用吊り下げ具のホースバンド。
【請求項２】
前記電動工具用吊り下げ具のホースバンドの嵌合凹部と凸部が、平行状となっている前記ホースバンドの左側縁部と右側縁部に対し直角状に形成されていることを特徴とする、請求項１に記載の電動工具用吊り下げ具のホースバンド。
【請求項３】
前記ホースバンドの嵌合凹部と凸部が、前記ホースバンドの左側縁部と右側縁部に対し、稍傾斜状に連接して形成せしめられていることを特徴とする、請求項１又は２に記載の電動工具用吊り下げ具のホースバンド。
【請求項４】
前記ホースバンドの嵌合凹部と凸部が、前記ホースバンドの一端部の差込み部の近傍より他端部方向に形成せしめられていることを特徴とする、請求項１又は２又は３に記載の電動工具用吊り下げ具のホースバンド。
【請求項５】
前記締め付け部が、前記ホースバンドの差込み部と反対側の他端部に、前記ネジが離脱しないように前記ホースバンドにカバー部を取着せしめていることを特徴とする、請求項１又は２又は３又は４に記載の電動工具用吊り下げ具のホースバンド。
【考案の詳細な説明】
【技術分野】
【０００１】
本考案は、電動工具のモーター部にセットされる電動工具用吊り下げ具のホースバンドの分野に関するものである。
【背景技術】
【０００２】
従来、電動工具のモーター部に締め付ける電動工具用吊り下げ具として、下記特許文献１（実用新案登録第３１３４８０８号公報）が開示されている。
【０００３】
前記特許文献１の図１、２には、電動工具用吊り下げ具に付設されているリング状ホースバンド５が図示されている。
【０００４】
しかし、従来開示の前記リング状ホースバンド５は、具体的に図示されていないが、そもそもこの実用新案は、本件出願人が考案し製造しているものに付き、その具体的構成は判る。
【０００５】
すなわち、前記開示の特許文献１のホースバンドは、ネジの山部が引掛り係止する個所の構造が、細長く打抜いた窓孔形状をした引掛け係止部が所定間隔おきに連接されているものであった。
【０００６】
そのため、電動工具用吊り下げ具は、モーター部に嵌合せしめた後、リング状ホースバンド５の先端部をネジをカバーする締め付け部内に挿入せしめる。そしてネジの頭部のプラスマイナス部に手動式ドライバーを差込み回転させて締め付けてやる。その結果ネジの山部が、連接されている打抜き窓孔状切欠部内に順次喰込んで行くが、その際強く締め付けすぎてモーターのカバー部を強く押圧して締め付けてしまって、内蔵されているモーターの故障原因ともなっていた。
【０００７】
前記のようなモーターの故障原因を解消するため、前記電動工具用吊り下げ具の販売に当っては、「前記リング状ホースバンドのネジを締める時は、手動プラスマイナスドライバーをご使用してください。電動ドライバーでの締め付けは故障の原因になりますので絶対にやめてください。」とわざわざ注意書きをしたシールを貼付けていた。
【０００８】
前記のようにして注意を呼びかけているにも拘らず、応々にして電動ドライバーでの締め付けがあり、故障が惹起せしめられていた。
【先行技術文献】
【特許文献】
【０００９】
【特許文献１】実用新案登録第３１３４８０８号公報
【考案の概要】
【考案が解決しようとする課題】
【００１０】
本考案は、電動工具用吊り下げ具の締め付け部付きリング状ホースバンドのネジの頭部のプラスマイナス部を、手動ドライバー等で回転させても、所定の回数の回転後は、トルクが効いてそれ以上ネジが前記リング状ホースバンドの嵌合凹部内に喰込んで締め付けたりしない構造にして、万一電動ドライバーによる締め付けがなされたとしても、リング状ホースバンドの締め付けによる電動工具のモーター部の故障を解消せしめるようにしたものである。
【課題を解決するための手段】
【００１１】
課題を解決するための手段として、請求項１に記載の考案は、電動工具Ｂのモーター部ｃを締め付ける吊り下げ具Ａに付設する締め付け部ｂ付きリング状ホースバンドａにおいて、
前記リング状ホースバンドａの左側縁部１と右側縁部２との内側部３に、前記締め付け部ｂを構成するネジ４の山部５が食込み引掛り係止する細長形状の嵌合凹部６と凸部７を交互に連接せしめることを特徴とする電動工具用吊り下げ具のホースバンドである。
【００１２】
上記課題を解決するための手段として、請求項２に記載の考案は、前記電動工具用吊り下げ具Ａのホースバンドａの嵌合凹部６と凸部７が、平行状となっている前記ホースバンドａの左側縁部１と右側縁部２に対し直角状に形成されていることを特徴とする請求項１に記載の電動工具用吊り下げ具のホースバンドである。
【００１３】
上記課題を解決するための手段として、請求項３に記載の考案は、前記ホースバンドａの嵌合凹部６と凸部７が、前記ホースバンドａの左側縁部１と右側縁部２に対し、稍傾斜状に連接して形成せしめられていることを特徴とする請求項１又は２に記載の電動工具用吊り下げ具のホースバンドである。
【００１４】
上記課題を解決するための手段として、請求項４に記載の考案は、前記ホースバンドａの嵌合凹部６と凸部７が、前記ホースバンドａの一端部の差込み部８の近傍より他端部９方向に形成せしめられていることを特徴とする請求項１又は２又は３に記載の電動工具用吊り下げ具のホースバンドである。
【００１５】
上記課題を解決するための手段として、請求項５に記載の考案は、前記締め付け部ｂが、前記ホースバンドａの差込み部８と反対側の他端部９に、前記ネジ４が離脱しないように前記ホースバンドａにカバー部１０を取着せしめていることを特徴とする請求項１又は２又は３又は４に記載の電動工具用吊り下げ具のホースバンドである。
【考案の効果】
【００１６】
本考案は上述のとおりなので、リング状ホースバンドを構成するネジの頭部に、プラスマイナスドライバーを差込み、手動もしくは電動ドライバーを介して回動せしめても、前記ネジの山部が従来のホースバンドに形成されている打抜き切欠せしめる切欠状孔部への食込む深さよりも、本考案の嵌合凹部の方が浅いので、前記ネジの山部が所定の長さの嵌合凹部に達すると、トルクが効いて前記ネジの山部の進行がストップされ、前記モーター部のホースバンドの過度の締め付けが解消できるので、モーター部の故障を解消もしくは著しく減少せしめることができる利点がある。
【図面の簡単な説明】
【００１７】
【図１】本考案電動工具用吊り下げ具のホースバンドの取付け状態を示す平面図である。
【００１８】
【図２】同ホースバンドを取付けた電動工具の正面図である。
【００１９】
【図３】同ホースバンドの斜視図である。
【００２０】
【図４】従来のホースバンドの斜視図である。
【００２１】
【図５】ホースバンドの嵌合凹部にネジの山部が嵌合係止している状態の一部切欠拡大縦断面図である。
【００２２】
【図６】従来のホースバンドにネジの山部が嵌合係止している状態の一部切欠拡大縦断面図である。
【００２３】
【図７】ホースバンドの一部切欠拡大平面図である。
【００２４】
【図８】図７のホースバンドの縦断面図である。
【考案を実施するための最良の形態】
【００２５】
請求項１〜５に記載の考案に関する実施の形態は共通しているので、一括して以下のとおり説明する。
【００２６】
符号ａは、図において電動工具Ｂのモーター部ｃを締め付ける吊り下げ具Ａに付設する締め付け部ｂ付きリング状ホースバンドである。
【００２７】
前記リング状ホースバンドａには、左側縁部１と右側縁部２との内側部３に、前記締め付け部ｂを構成するネジ４の山部５が食込み引掛り係止する細長形状の嵌合凹部６と凸部７を交互に連接せしめ形成されている。
【００２８】
さらに、前記電動工具用吊り下げ具Ａのホースバンドａの嵌合凹部６と凸部７は、平行状となっている前記ホースバンドａの左側縁部１と右側縁部２に対し直角状に形成されている。
【００２９】
また本考案の前記ホースバンドａの嵌合凹部６と凸部７は、前記ホースバンドａの左側縁部１と右側縁部２に対し、稍傾斜状に連接して形成せしめても良い。
【００３０】
本考案の前記ホースバンドａの嵌合凹部６と凸部７は、前記ホースバンドａの一端部の差込み部８の近傍より内側部方向に所定の長さ形成する。
【００３１】
前記締め付け部ｂは、前記ホースバンドａの差込み部８と反対の他端部９に、前記ネジ４が飛出したり、離脱しないように前記ホースバンドａにカバー部１０が取着されている。
【００３２】
前記ホースバンドａの内側部に交互に連接しながら形成されている嵌合凹部６と凸部７のピッチは、前記ネジ４の山部５がスムーズに食込むことができるように形成されている。
【００３３】
そして、前記ネジ４は頭部にプラスマイナスドライバーが差込むことができるプラスマイナス部４ａが形成されている。
【００３４】
前記締め付け部ｂの構成部材であるネジ４は、図１、２、３、４に図示されているように、プラスマイナス部４ａ側がホースバンドａの他端部と反対側の差込み部８側に位置している。
【００３５】
〈ホースバンド締付け方法〉
本考案の電動工具用吊り下げ具のホースバンドａは、図１、２に図示されているように電動工具に嵌める。その際ホースバンドａの差込み部８が予め締め付け部ｂ内に差込みセットされている。
【００３６】
しかる後ホースバンドａに取着されている締め付け部ｂのネジ４のプラスマイナス部４ａにドライバー（図示なし）の差込み部を差込むと、前記ネジ４の山部５が前記ホースバンドａの嵌合凹部６に嵌合し食込み漸次前進する。
【００３７】
そして前記ネジ４の山部５が所定の長さまで前進すると、ネジ４が空廻り状態となる。
【００３８】
前記ネジ４が空廻り状態となったところで、握持中のドライバーの操作を止める。
【００３９】
もし仮にも、電動ドライバーによる締め付け操作がなされても、ネジ４が空廻りして、それ以上前進しない。従ってモーター部の強い締め付けが原因で発生するモーターの故障を未然に防止できる利点がある。
【００４０】
６ａは従来のホースバンドｄに形成の切欠部である。
【符号の説明】
【００４１】
Ａ      吊り下げ具
Ｂ      電動工具
ａ      ホースバンド
ｂ      締め付け部
ｃ      モーター部
ｄ      従来のホースバンド
１      左側縁部
２      右側縁部
３      内側部
４      ネジ
４ａ    プラスマイナス部
５      山部
６      凹部
６ａ    切欠部
７      凸部
８      差込み部
９      他端部
１０    カバー部
【図１】
0003205407.tif 000003
【図２】
0003205407.tif 000004
【図３】
0003205407.tif 000005
【図４】
0003205407.tif 000006
【図５】
0003205407.tif 000007
【図６】
0003205407.tif 000008
【図７】
0003205407.tif 000009
【図８】
0003205407.tif 000010